(57)【要約】      （修正有）【課題】レジ袋等の手提げ袋の上端開口部を簡単かつ確実に閉じると共に、開口部全体のカバーがされて収納物の落下防止、降雨等による汚損防止及び内部の不可視化ができ、さらに手提げ用取っ手部を中央寄りに引き寄せて持ち易くした手提げ袋を提供する。【解決手段】矩形状の上端開口部の左右対向面上方に一対の手提げ用取っ手部１ａ、１ｂを有する手提げ袋において、前後対向面の上部開口端に一対の上蓋用重ね扉部２ａ、２ｂを延長形成し、当該重ね扉部には開口部左右対向面に並行して左右対称位置に一対の長穴部３ａ、３ｂを開孔して構成する。使用時には、袋本体部４に収納物を収めたあと、両方の重ね扉部を各々前後から重ね閉じて上蓋とすると共に、左右の取っ手部をそれぞれ左右の長穴部の下方から上方へ重ね通すことにより、上蓋部を閉止した上、左右の取っ手部を中央寄りに引き寄せた位置で把持できるようにして手提げ時の握力低減も可能とした。【選択図】図１
0003170127.tif 000002
【実用新案登録請求の範囲】
【請求項１】
矩形状の上端開口部の左右対向面上方に一対の手提げ用取っ手部を有する手提げ袋において、前後対向面の上部開口端に一対の上蓋用重ね扉部を延長形成し、当該重ね扉部には前記の左右対向面に並行して左右対称位置に一対の長穴部を開孔した構成からなり、袋本体部に収納物を収めたあと、両方の重ね扉部を各々前後から重ね閉じて上蓋とすると共に、左右の取っ手部をそれぞれ前記左右の長穴部の下方から上方へ重ね通すことにより、上蓋部を閉止した上、両方の取っ手部を中央寄りに引き寄せた位置で把持できることにより、手提げ時の握力低減も可能としたことを特徴とする手提げ袋。
【請求項２】
前記の一対の長穴部において開孔切り出し部分を完全には切り取らず、単一ないし複数の舌片として各々の長穴部に残して小蓋状にした請求項１記載の手提げ袋。
【請求項３】
前記の一対の長穴部を結ぶ線に沿って前記の重ね扉部に切れ目を入れ、両長穴部を繋いで一つの開口部に拡大し、当該切れ目によって新たにできた舌部を中扉状にした請求項１または請求項２に記載の手提げ袋。
【考案の詳細な説明】
【技術分野】
【０００１】
本考案は、袋開口部の閉止・カバーと共に取っ手部の手提げ角度の絞りを可能としたレジ袋等の手提げ袋に関するものである。
【背景技術】
【０００２】
商品購入時等にはプラスチック製の「レジ袋」と呼ばれる手提げ袋に購入品等を収納して持ち運ぶことが多い。  このレジ袋は物品を収納後、上部の開口部を閉じるのに粘着テープを使用したり、対向する開口端に一対の長舌部を設けてこれを結ぶ方法が一般的である。  他に、左右の取っ手部をその中間で互いに結び合う等により束ねる方法もあるが袋が回転して持ち運び難いことがある。
【０００３】
しかし、粘着テープの場合は、これを別途備える必要があり、また袋の開封時にはその一部を損傷して再使用時の支障になることもある。  長舌部を結んだり絡めたりする方式の場合は、運搬中にその閉止部が緩んで解けたり、逆に結び目が固くなって開封時に手間が掛ることもある。  また、手提げ袋上部の開口部全体がカバーされないため、運搬中に内容物が落下したり、降雨時に汚損したり、他者に中を見られたりして美観もよくない。
【０００４】
比較的大きなレジ袋の場合、左右の取っ手部の間の吊上げ角度が下方に向けて大きく開くため、収納物の重さによる左右水平方向への引張荷重も大きくなり、握力の負担が増加して持ち運びに難がある。
【先行技術文献】
【特許文献】
【０００５】
【特許文献１】特許公開２００７−２３８１３６
【特許文献２】登録実用新案第３１３１０８０号
【非特許文献】
【０００６】
【非特許文献１】関東学院大学経済経営研究所年報第30集（2008年3月） 「レジ袋有料化店舗における消費者の買い物袋持参運動の測定と評価」
【考案の概要】
【考案が解決しようとする課題】
【０００７】
レジ袋等の手提げ袋の上端開口部を粘着テープや長舌片の結束等によることなく簡単かつ確実に閉じると共に、開口部全体のカバーがされて収納物の落下防止、降雨等による汚損防止及び内部の不可視化ができ、さらに手提げ用取っ手部を中央寄りに引き寄せて持ち易くする。
【課題を解決するための手段】
【０００８】
矩形状の上端開口部の左右対向面上方に一対の手提げ用取っ手部１a及び１bを有する手提げ袋において、前後対向面の上部開口端に一対の上蓋用重ね扉部２a及び２bを延長形成し、当該重ね扉部には開口部左右対向面に並行して左右対称位置に一対の長穴部３a及び３bを開孔した構成からなり、袋本体部４に収納物を収めたあと、両方の重ね扉部２a及び２bを各々前後から重ね閉じて上蓋とすると共に、左右の取っ手部１a及び１bをそれぞれ長穴部３a及び３bの下方から上方へ重ね通すことにより、上蓋部を閉止した上、取っ手部１a及び１bを中央寄りに引き寄せた位置で把持できるようにして手提げ時の握力低減も可能とする。
【考案の効果】
【０００９】
本考案の手提げ袋は、物品収納後の上部開口部の閉止とカバーが粘着テープ等を要することなく簡単かつ確実にでき、開封操作も袋を損傷することなく瞬時に可能である。  また、開口部全体のカバーにより、持ち運び時における収納物の落下防止、降雨等による汚損防止、収納内容の不可視化と美観向上が図れる。  さらに、取っ手部が中央寄りに適度に寄せられるため、袋が回転することなく、容量や重量が大きい場合でも必要握力を低減できて持ち運び易くなる。  その製作は、既存の製造設備と工程のままで裁断時の抜き型形状を変更するのみで基本的に対応できる利点がある。
【図面の簡単な説明】
【００１０】
【図１】本考案による手提げ袋の物品収納閉封後の持ち運び時の形態外観を示す。
【図２】本考案による手提げ袋の使用前の折り畳み状態を示す。（実施例１）
【図３】本考案による手提げ袋の上蓋用重ね扉部上の長穴部の形状例を示す。（実施例１）
【図４】本考案による手提げ袋の上蓋用重ね扉部上の長穴部周りの形状例を示す。（実施例２）
【考案を実施するための形態】
【００１１】
レジ袋等の手提げ袋の上部開口端の前後対向面に、左右の取っ手部を各々通すための長穴部を有する一対の上蓋用重ね扉部を延長して形成した簡単な構成で、上部開口部の封止とカバー及び取っ手部の引き寄せを実現した。
【実施例】
【００１２】
図１は、本考案による手提げ袋の１実施例における物品収納後の持ち運び時の形態の外観図である。  図２は、その使用前の折り畳まれた状態での平面図である。  １a及び１bは左右の手提げ用取っ手部、２a及び２bは前後対向面の上蓋用重ね扉部、３a及び３bは両方の重ね蓋部を通して設けた左右の長穴部、４は手提げ袋の本体部である。
【００１３】
図３は、図２の実施例における左右の長穴部の内、３a側の拡大外観を示す。  長穴部の開孔時の切り出し部分を完全には切り取らず、両扉状の舌片として各々の長穴部に残すことで持ち運び時の密閉性を高めた。  片扉状の舌片として残す場合も同様である。
【００１４】
本考案の手提げ袋に物品を収納後、重ね扉部２a及び２bを重ね閉じると共に、その長穴部３a及び３bに取っ手部1a及び１bをそれぞれ通すことで上部開口部の閉止とカバーができる共に、取っ手部を中央寄りに引き寄せて持ち運ぶことが可能となる。
【００１５】
従来、左右の取っ手部を双方の中間で結んだり、中央部で束ねた場合には、持ち運び中に袋が回転することがあるが、本考案では持ち運び時に取っ手部が下方に向けて適度に開いているため袋の回転を避けて握力の低減ができる。
【００１６】
図４の実施例は、図１から図３の実施例における長穴部３a及び３bを結ぶ線に沿って重ね扉部２a及び２bに切れ目を入れ、両方の長穴部を連結して一つの開口部に拡大し、当該切れ目によって新たにできた舌部を中扉状にしたものである。
【００１７】
本考案の手提げ袋の製作は、既存の製造設備と工程のままで、図２及び図４に示すような上蓋用重ね扉部を延長形成した上端開口部の形状に合わせて裁断時の抜き型を変更するのみで基本的に対応可能である。
【産業上の利用可能性】
【００１８】
スーパーでの商品購入時等に使用される使い捨て型のプラスチック製レジ袋を始め、布製の手提げ袋や取っ手部が長手方向に設けられた紙製の手提げ袋等にも適用できる。
【符号の説明】
【００１９】
１a、１b     左右の手提げ用取っ手部
２a、２b    前後対向面の上蓋用重ね扉部
３a、３b    重ね扉部上の左右の長穴部
４              袋本体部
【図１】
0003170127.tif 000003
【図２】
0003170127.tif 000004
【図３】
0003170127.tif 000005
【図４】
0003170127.tif 000006